(57)【要約】【課題】  雨量を好適に予測することが可能な雨量予測装置を提供する。【解決手段】  雨量予測装置としての制御部４０は、第一場所に設置される電波受信部１０によって受信される電波に関する電波情報を取得する電波情報取得部４２と、取得された電波情報に基づいて、第一場所とは異なる第二場所における予測雨量を算出する雨量予測部４４と、を備える。【選択図】図２
2018205214.tif 000002
【特許請求の範囲】
【請求項１】
第一場所に設置される電波受信部によって受信される電波に関する電波情報を取得する電波情報取得部と、
取得された前記電波情報に基づいて、前記第一場所とは異なる第二場所における予測雨量を算出する雨量予測部と、
を備えることを特徴とする雨量予測装置。
【請求項２】
前記電波情報は、前記電波受信部によって受信される電波の受信強度又は変動電圧である
ことを特徴とする請求項１に記載の雨量予測装置。
【請求項３】
前記第二場所における所定時間の予報雨量を取得する天気情報取得部を備え、
前記雨量予測部は、
取得された前記予報雨量を、前記所定時間よりも短い間隔で測定された前記電波情報に基づいて前記所定時間内で配分することによって、前記所定時間よりも短い時間における前記予測雨量を算出する
ことを特徴とする請求項１又は請求項２に記載の雨量予測装置。
【請求項４】
前記雨量予測部は、前記第一場所の風速、前記第二場所の風速、及び、雨雲の動き予報の少なくとも一つに基づいて、前記電波情報に基づいて算出される前記予測雨量の発生時刻を算出する
ことを特徴とする請求項１から請求項３のいずれか一項に記載の雨量予測装置。
【請求項５】
複数の前記電波受信部が、それぞれ異なる前記第一場所に設置されており、
前記雨量予測部は、複数の前記第一場所の風向、前記第二場所の風向、及び、雨雲の動き予報の少なくとも一つに基づいて、前記電波受信部を選択し、選択された前記電波受信部の前記電波情報に基づいて、前記予測雨量を算出する
ことを特徴とする請求項１から請求項４のいずれか一項に記載の雨量予測装置。
【発明の詳細な説明】
【技術分野】
【０００１】
本発明は、雨量を予測する技術に関する。
【背景技術】
【０００２】
従来、天気予報として、１時間雨量、１０分雨量等といった情報が提供されている。また、国土交通省によって、高性能気象レーダを用いたリアルタイム降雨観測システムであるＸＲＡＩＮ（eXtended RAdar Information Network）による雨量情報が提供されている。
【発明の概要】
【発明が解決しようとする課題】
【０００３】
建設産業、交通、野外イベント等に着目した場合、短時間の降雨によって支障が発生することがある。例えば、建設産業におけるコンクリート打設では、数分間の豪雨によってコンクリートの品質低下が生じることがある。
【０００４】
天気予報の１０分雨量が５［ｍｍ／１０分］である場合、０．５［ｍｍ／分］の雨が１０分間降り続けるケースと、１０分間のうちの１分に５［ｍｍ］の雨が集中的に降るケースと、を区別することができない。しかし、この両者のケースでは、１０分間のうちの１分に５［ｍｍ］の雨が集中的に降るケースの方が雨粒の規模が大きく、打設中のコンクリート表面の損傷は大きくなる。
【０００５】
ＸＲＡＩＮは、１分程度ごとのデータ提供が可能である。しかし、かかる雨量情報は、数［ｋｍ］〜１０［ｋｍ］上空の雨雲の観測に基づいたものであるため、風や高層建築物等の影響を考慮したものではない。そのため、ＸＲＡＩＮから提供される雨量情報は、短時間における実際の雨量とは異なる場合がある。
【０００６】
本発明は、前記した事情に鑑みて創案されたものであり、予測雨量を好適に算出することが可能な雨量予測装置を提供することを課題とする。
【課題を解決するための手段】
【０００７】
前記課題を解決するため、本発明の雨量予測装置は、第一場所に設置される電波受信部によって受信される電波に関する電波情報を取得する電波情報取得部と、取得された前記電波情報に基づいて、前記第一場所とは異なる第二場所における予測雨量を算出する雨量予測部と、を備えることを特徴とする。
【０００８】
かかる構成によると、異なる場所（第一場所）の電波情報に基づいて第二場所の予測雨量を好適に算出することができる。また、転倒枡雨量計を用いる場合と比較して、異物（砂、葉、埃、ゴミ等）の混入及び堆積を防止するための維持管理が不要であり、メンテナンス性を向上することができる。
【０００９】
前記雨量予測装置は、前記第二場所における所定時間の予報雨量を取得する天気情報取得部を備え、前記雨量予測部は、取得された前記予報雨量を、前記所定時間よりも短い間隔で測定された前記電波情報に基づいて前記所定時間内で配分することによって、前記所定時間よりも短い時間における前記予測雨量を算出する構成であってもよい。
【００１０】
前記電波情報は、前記電波受信部によって受信される電波の受信強度又は変動電圧である構成であってもよい。
【００１１】
かかる構成によると、電波受信部によって受信される電波の受信強度又は変動電圧を電波情報として用いるので、第二場所の予測雨量をより好適に算出することができる、
【００１２】
かかる構成によると、第二場所における所定時間の予報雨量を所定時間よりも短い間隔で測定された電波情報に基づいて所定時間内で配分するので、短時間の予測雨量をより好適に算出することができる。
【００１３】
前記雨量予測部は、前記第一場所の風速、前記第二場所の風速、及び、雨雲の動き予報の少なくとも一つに基づいて、前記電波情報に基づいて算出される前記予測雨量の発生時刻を算出する構成であってもよい。
【００１４】
かかる構成によると、風速及び雨雲の動き予報の少なくとも一方に基づいて予測雨量の発生時刻を算出するので、短時間の予測雨量をその発生時刻とともに好適に算出することができる。
【００１５】
複数の前記電波受信部が、それぞれ異なる前記第一場所に設置されており、前記雨量予測部は、複数の前記第一場所の風向、前記第二場所の風向、及び、雨雲の動き予報の少なくとも一つに基づいて、前記電波受信部を選択し、選択された前記電波受信部の前記電波情報に基づいて、前記予測雨量を算出する構成であってもよい。
【００１６】
かかる構成によると、風向及び雨雲の動き予報の少なくとも一方に基づいて複数の電波受信部から少なくとも一つの電波受信部を選択し、選択された電波受信部の電波情報に基づいて予測雨量を算出するので、雨量予測に適した電波受信部を選択し、短時間の予測雨量をより好適に算出することができる。
【発明の効果】
【００１７】
本発明によれば、予測雨量を好適に算出することができる。
【図面の簡単な説明】
【００１８】
【図１】本発明の実施形態に係る雨量予測システムを示す模式図である。
【図２】本発明の実施形態に係る雨量予測システムを示すブロック図である。
【図３】（ａ）は、同一場所における電波の受信強度及び雨量の経時変化の一例を示すグラフであり、（ｂ）は、同一場所における電波の変動電圧及び雨量の経時変化の一例を示すグラフである。
【図４】同一場所における電波の受信強度及び雨量の経時変化の一例を示すグラフである。
【図５】同一場所における所定時間の雨量と電波の変動電圧を所定時間の累積値に換算したものとの関係の一例を示すグラフである。
【図６】本発明の実施形態に係る雨量予測装置の動作例を説明するためのフローチャートである。
【図７】（ａ）は、時刻ｔ０〜ｔ１における第一場所Ｂの雨量の経時変化の一例を示すグラフであり、（ｂ）は、時刻ｔ０〜ｔ１における第一場所Ｃの雨量の経時変化の一例を示すグラフであり、（ｃ）は、時刻ｔ１〜ｔ３における第二場所Ａの予測雨量の経時変化の一例を示すグラフである。
【発明を実施するための形態】
【００１９】
以下、本発明の実施形態について、適宜図面を参照しながら説明する。本発明の実施形態に係る雨量予測システム１は、図１に示すように、第一場所Ｐ１において測定された電波情報（電波の受信強度又は変動電圧）に基づいて、第二場所Ｐ２における予測雨量を算出するシステムである。図２に示すように、雨量予測システム１は、複数の電波受信部１０と、操作部２０と、表示部３０と、雨量予測装置としての制御部４０と、を備える。
【００２０】
＜電波受信部＞
図１に示すように、複数の電波受信部１０は、それぞれ地上の複数の場所（第一場所）Ｐ１に設けられている。本実施形態において、複数の電波受信部１０は、雨量予測ポイントである第二場所Ｐ２を囲むように配置されている。電波受信部１０は、当該電波受信部１０が設けられた第一場所Ｐ１において電波を受信するとともに、電波情報を測定し、測定された電波情報を制御部４０へ送信する。電波受信部１０は、比較的短い間隔（本実施形態では、１秒間隔）で電波情報を測定する。本実施形態では、電波受信部１０は、電波受信部１０のＩＤ（識別情報）及び所定時間（本実施形態では、１０分間）に測定された電波の受信強度を、定期的（所定時間間隔）に制御部４０へ送信する。
【００２１】
図３（ａ）は、同一位置における６０［ＧＨｚ］の電波の受信強度（１秒間隔）と転倒枡雨量計によって計測された雨量（１０分間隔）との経時変化の一例を示すグラフである。図３（ｂ）は、図３（ａ）における電波の受信強度を変動電圧に変換したグラフである。図３（ａ）に示すように、雨量が大きくなるほど受信強度が小さくなるという関係が成立する。また、図３（ｂ）に示すように、雨量が大きくなるほど変動電圧が大きくなるという関係が成立する。雨量と受信強度又は変動電圧との関係は、降雨の存在によって電波強度が減衰したり雨滴によって反射電波強度が大きくなったりすることによるものである。すなわち、雨量が大きいほど、電波が減衰して当該電波の受信強度が小さくなり、電波の電圧が低下して変動電圧が大きくなる。
【００２２】
図４は、同一場所における６０［ＧＨｚ］の電波の受信強度（１秒間隔）と転倒枡雨量計によって計測された雨量（１０分間隔）との経時変化の一例を示すグラフであって、１０分雨量が最大で５［ｍｍ］を示すケースである。図５は、雨量（１０分間隔）と電波の変動電圧（１秒間隔）を１０分間の累積値に換算したものとの関係の一例を示すグラフである。
図４に示すように、１０分の間にも電波の受信強度は経時的に変化しており、また、図５に示すように、同一時間における雨量と電波の変動電圧の累積値との間には正の相関がある。したがって、かかる変動電圧、又は、変動電圧と関連する受信強度を用いることによって、１０分間の雨量をより短い時間間隔の雨量として配分することが可能であることが分かる。
【００２３】
なお、電波受信部１０は、電波式雨滴計であってもよい。電波受信部１０が電波式雨滴計である場合には、電波受信部１０は、ドップラー電波による速度計側法を用いて、電波情報に基づく雨量を算出し、算出された雨量を制御部４０へ送信することができる。すなわち、電波受信部１０としての電波式雨滴計は、後記する制御部４０の電波情報取得部４２の機能及び雨量予測部４４の一部の機能を有する。ここで、電波式雨滴計によって受信される電波（当該雨滴計が照射した電波の反射波）の受信強度は、雨量が大きいほど大きくなる。同様に、電波式雨滴計によって受信される電波の変動電圧も、受信強度と同様に、雨量が大きいほど大きくなる。また、電波受信部１０は、例えば信号機等の構造物に設置されていてもよい。電波受信部１０が信号機等に設置されている場合には、電波受信部１０は、電波情報を当該信号機の近傍を走行する車両（例えば、自動運転自動車）へ送信する構成であってもよい。この場合には、雨量と相関する電波情報を受信した車両は、かかる電波情報を利用して安全な走行を実現することができる。また、電波受信部１０が携帯電話端末等である場合には、電波の受信強度及び電波受信部１０の位置情報（緯度及び経度）を制御部４０へ送信する。また、電波受信部１０によって受信される電波の周波数帯域等は、適宜設定可能である。
【００２４】
＜操作部＞
図２に示すように、操作部２０は、キーボード、マウス等によって構成されている。操作部２０は、ユーザによる当該操作部２０の操作結果を制御部４０へ出力する。表示部３０は、モニタ等によって構成されている。表示部３０は、制御部４０から出力された画像データに基づいて画像を表示する。
【００２５】
＜制御部（雨量予測装置）＞
雨量予測装置としての制御部４０は、ＣＰＵ（Central Processing Unit）、ＲＯＭ（Read-Only Memory）、ＲＡＭ（Random Access Memory）、入出力回路等によって構成されている。制御部４０は、機能部として、記憶部４１と、電波情報取得部４２と、天気情報取得部４３と、雨量予測部４４と、を備える。
【００２６】
＜記憶部＞
記憶部４１には、電波受信部１０ごとに、電波受信部１０のＩＤと、電波受信部１０が設けられている第一場所Ｐ１の位置情報（緯度及び経度）が関連付けて記憶されているとともに、第二場所Ｐ２の位置情報（緯度及び経度）が記憶されている。記憶部４１に記憶されたデータは、ユーザによる操作部２０の操作によって更新（追加、修正、削除等）可能である。
【００２７】
＜電波情報取得部＞
電波情報取得部４２は、電波受信部１０によって送信された電波情報を取得し、受信された電波情報を雨量予測部４４へ出力する。なお、以下では、電波情報が電波の受信強度である場合を例示する。
【００２８】
＜天気情報取得部＞
天気情報取得部４３は、外部装置２によって送信された、第二場所Ｐ２の天気情報を取得し、雨量予測部４４へ出力する。ここで、天気情報取得部４３は、第一場所Ｐ１の予報雨量（ここでは、１０分雨量）、第二場所Ｐ２の予報雨量（ここでは、１０分雨量）及び第二場所Ｐ２の現在情報としての風情報（風速及び風向）を取得し、雨量予測部４４へ出力する。
【００２９】
＜雨量予測部＞
雨量予測部４４は、電波情報取得部４２から出力された電波情報（受信強度）と、天気情報取得部４３から出力された天気情報（予報雨量及び風情報）と、を取得し、取得された電波情報及び天気情報に基づいて第二場所Ｐ２の予測雨量及び当該予測雨量の発生時刻を算出し、算出結果を表示部３０に表示させる。
雨量予測部４４は、電波情報の測定間隔（本実施形態では、１秒間隔）で予測雨量を算出する。すなわち、雨量予測部４４は、天気情報の予報雨量（１０分）よりも短い間隔での予測雨量を算出することができる。
【００３０】
雨量予測部４４は、第二場所Ｐ２の予測雨量の算出結果として、降雨のピーク時刻及び当該ピーク時刻における予測雨量（ピーク雨量）並びにピーク継続時間を算出して表示部３０に表示させる。また、雨量予測部４４は、第二場所Ｐ２の予測雨量の算出結果に併せて、天気情報としての第二場所Ｐ２の予報雨量（１０分雨量）を表示部３０に表示させる。
【００３１】
＜風速等による時刻の算出＞
雨量予測部４４は、天気情報としての第一場所Ｐ１の風速、第二場所Ｐ２の風速、及び、雨雲の動き予報の少なくとも一つに基づいて、予測雨量の発生時刻を算出する。
これは、第一場所Ｐ１の上空の雨雲が第二場所Ｐ２の上空まで移動する時間、風、高層建築物等の影響を考慮したものである。例えば、雨量予測部４４は、第一場所Ｐ１又は第二場所Ｐ２の風速が大きいほど、第一場所Ｐ１における電波情報の測定時刻と予測される第二場所Ｐ２の予測雨量の発生時刻との間隔が短くなるように、予測雨量の発生時刻を算出する。すなわち、雨量予測部４４は、予測雨量の発生時刻と予報雨量の時刻とに基づいて、予測雨量と予報雨量とのマッチングを行うことができる。
【００３２】
＜風向等による電波受信部の選択＞
また、雨量予測部４４は、天気情報としての第一場所Ｐ１の風向、第二場所Ｐ２の風向、及び、雨雲の動き予報の少なくとも一つに基づいて、複数の電波受信部１０の中から少なくとも一つの電波受信部１０を選択し、選択された電波受信部１０からの電波情報に基づいて、第二場所Ｐ２の予測雨量を算出する。
詳細には、雨量予測部４４は、第二場所Ｐ２の風上となる位置に設けられた電波受信部１０を選択する。
【００３３】
＜電波情報の補正＞
雨量予測部４４は、選択された電波受信部１０からの電波情報を補正する。本実施形態において、雨量予測部４４は、電波受信部１０からの電波情報が測定された時間における、電波受信部１０が設置された第一場所Ｐ１の雨量（予報値又は実測値）を用いて、電波情報の積分値が、積分された時間における第一場所Ｐ１の雨量と一致するような補正係数を算出し、かかる補正係数を用いて電波情報を補正する。かかる補正により、電波受信部１０の製品ごとの誤差等の影響を防止することができる。すなわち、雨量予測部４４は、ある時刻から所定時間経過後までの第一場所Ｐ１における予測雨量の積分値と、同一時間の第一場所Ｐ１における予測雨量又は実測雨量とが一致するように、補正係数を決定する。なお、補正係数は、ある時刻から所定時間経過後までの第一場所Ｐ１における電波情報（例えば、電波の受信強度）の積分値と、同一時間の第一場所Ｐ１における予測雨量又は実測雨量とが一致するように決定されてもよい。
【００３４】
なお、電波受信部１０が補正された電波情報を送信する場合には、雨量予測部４４は、かかる補正を省略することができる。
【００３５】
＜動作例＞
ここで、本発明の雨量予測システム１における雨量予測手法について、雨雲が第一場所Ｃの上空→第一場所Ｂの上空→第二場所Ａの上空の順に移動する場合を例にとって説明する。
かかる例において、雨量予測部４４は、時刻ｔ０〜ｔ１における第一場所Ｂの電波情報に基づいて時刻ｔ１〜ｔ２における第二場所Ａの予測雨量を算出し、時刻ｔ０〜ｔ１における第一場所Ｃの電波情報に基づいて時刻ｔ２〜ｔ３における第二場所Ａの予測雨量を算出する（時刻ｔ０，ｔ１，ｔ２，ｔ３，…は等間隔）。なお、実際には、電波情報の測定時刻と予測雨量の発生時刻との関係は、第一場所Ｐ１と第二場所Ｐ２との距離、風速等によって変化し、かかる例のように等間隔にはならないケースもある。
【００３６】
図６に示すように、まず、電波情報取得部４２が、複数の電波受信部１０によって送信された時刻ｔ０〜ｔ１の電波情報（受信強度）を取得し（ステップＳ１）、天気情報取得部４３が、外部装置２によって送信された天気情報を取得する（ステップＳ２）。
【００３７】
続いて、雨量予測部４４が、取得された天気情報（例えば、時刻ｔ１における第二場所Ａの風向及び風速）に基づいて、複数の電波受信部１０からの電波情報の中から、雨量予測に用いる電波情報を選択する（ステップＳ３）。詳細には、雨量予測部４４は、時刻ｔ１における第二場所Ｐ２の風向と、記憶部４１に記憶された第一場所Ｐ１及び第二場所Ｐ２（Ａ）の位置情報と、に基づいて、第二場所Ｐ２（Ａ）の風上となる第一場所Ｐ１（Ｂ，Ｃ）に設けられた電波受信部１０の電波情報を選択する。また、雨量予測部４４は、時刻ｔ１における第二場所Ｐ２の風速と、記憶部４１に記憶された第一場所Ｐ１（Ｂ，Ｃ）及び第二場所Ｐ２（Ａ）の位置情報と、に基づいて、第一場所Ｐ１（Ｂ，Ｃ）の電波強度から算出される予測雨量がいつ発生するか（予測雨量の発生時刻）を算出する。ここで、雨量予測部４４は、第二場所Ｐ２（Ａ）に比較的近い第一場所Ｐ１（Ｂ）の電波の受信強度を、時刻ｔ１〜ｔ２における第二場所Ｐ２（Ａ）の雨量予測に用いる。また、雨量予測部４４は、第二場所Ｐ２（Ａ）から比較的遠い第一場所Ｐ１（Ｃ）の電波の受信強度を、時刻ｔ２〜ｔ３における第二場所Ｐ２（Ａ）の雨量予測に用いる。
【００３８】
続いて、雨量予測部４４が、選択された第一場所Ｐ１（Ｂ，Ｃ）の電波の受信強度に基づいて、第二場所Ｐ２（Ａ）における予測雨量を算出する（ステップＳ４）。ここで、時刻ｔ０〜ｔ１における第一場所Ｂの１０分雨量（予報雨量）をＢＸ（ｔ０）、時刻ｔ０〜ｔ１における第一場所Ｂの電波の受信強度に基づく予測雨量の経時変化をＲＢ（ｔ）（図７（ａ）参照）、時刻ｔ１〜ｔ２における第二場所Ａの１０分雨量（予報雨量）をＡＸ（ｔ１）とすると、時刻ｔ１〜ｔ２における第二場所Ａの修正雨量（１０分雨量）ＡＸ’（ｔ１）は、式（１）によって算出される。また、時刻ｔ１〜ｔ２における第二場所Ａの予測雨量ＡＸ’’（ｔ）は、式（２）によって算出される。式（２）において、分母及び分子におけるＲＢ（ｔ＋ｔ０−ｔ１）が、前記した補正係数に相当する。
【００３９】
【数１】
2018205214.tif 000003
【００４０】
一方、時刻ｔ０〜ｔ１における第一場所Ｃの１０分雨量（予報雨量）をＣＸ（ｔ０）、時刻ｔ０〜ｔ１における第一場所Ｃの電波の受信強度に基づく予測雨量の経時変化をＲＣ（ｔ０）（図７（ｂ）参照）、時刻ｔ２〜ｔ３における第二場所Ａの１０分雨量（予報雨量）をＡＸ（ｔ２）とすると、時刻ｔ２〜ｔ３における第二場所Ａの修正雨量（１０分雨量）ＡＸ’（ｔ２）は、式（３）によって算出され、時刻ｔ２〜ｔ３における第二場所Ａの予測雨量ＡＸ’’（ｔ）は、式（４）によって算出される。
【００４１】
【数２】
2018205214.tif 000004
【００４２】
雨量予測部４４は、式（２）及び式（４）による算出結果を組み合わせることによって、時刻ｔ１〜ｔ３における第二場所Ａの予測雨量ＡＸ’’（ｔ）を得ることができる（図７（ｃ）参照）。
【００４３】
なお、雨量予測部４４は、時刻ｔ０〜ｔ１における第一場所Ｃの電波情報に基づいて時刻ｔ１〜ｔ２における第一場所Ｂの予測雨量を算出することもできる。
時刻ｔ０〜ｔ１における第一場所Ｃの１０分雨量（予報雨量）をＣＸ（ｔ０）、時刻ｔ１〜ｔ２における第一場所Ｂの１０分雨量（予報雨量）をＢＸ（ｔ１）とすると、時刻ｔ１〜ｔ２における第一場所Ｂの修正雨量（１０分雨量）ＢＸ’（ｔ１）は、式（５）によって算出され、時刻ｔ１〜ｔ２における第一場所Ｂの予測雨量ＢＸ’’（ｔ）は、式（６）によって算出される。
【００４４】
【数３】
2018205214.tif 000005
【００４５】
制御部（雨量予測装置）４０は、ステップＳ１〜Ｓ４を繰り返し実行する。すなわち、時刻ｔ２の時点で、時刻ｔ１〜ｔ２における第一場所Ｂの電波情報等に基づいて時刻ｔ２〜ｔ３における第二場所Ａの予測雨量を算出したり、時刻ｔ１〜ｔ２における第一場所Ｃの電波情報等に基づいて時刻ｔ３〜ｔ４における第二場所Ａの予測雨量を算出したりする。
【００４６】
本発明の実施形態に係る雨量予測システム１は、異なる場所（第一場所Ｐ１）の電波情報に基づいて第二場所Ｐ２の予測雨量を好適に算出することができる。
また、雨量予測システム１は、電波受信部１０を用いるので、転倒枡雨量計を用いる場合と比較して、異物（砂、葉、埃、ゴミ等）の混入及び堆積を防止するための維持管理が不要であり、メンテナンス性を向上することができる。
【００４７】
また、雨量予測システム１は、電波受信部１０によって受信される電波の受信強度又は変動電圧を電波情報として用いるので、第二場所Ｐ２の予測雨量をより好適に算出することができる、
【００４８】
また、雨量予測システム１は、第二場所Ｐ２における所定時間の予報雨量を所定時間よりも短い間隔で測定された電波情報に基づいて所定時間内で配分するので、短時間の予測雨量を好適に算出することができる。
【００４９】
また、雨量予測システム１は、風速及び雨雲の動き予報の少なくとも一方に基づいて予測雨量の発生時刻を算出するので、短時間の予測雨量をその発生時刻とともに好適に算出することができる。
【００５０】
また、雨量予測システム１は、風向及び雨雲の動き予報の少なくとも一方に基づいて複数の電波受信部１０から少なくとも一つの電波受信部１０を選択し、選択された電波受信部１０の電波情報に基づいて予測雨量を算出するので、雨量予測に適した電波受信部１０を選択し、短時間の予測雨量をより好適に算出することができる。
【００５１】
以上、本発明の実施形態について説明したが、本発明は前記実施形態に限定されず、本発明の要旨を逸脱しない範囲で適宜変更可能である。例えば、風向及び風速は、第一場所Ｐ１及び第二場所Ｐ２における実測値であってもよい。すなわち、第一場所Ｐ１の風向及び風速を測定する風向風速計を第一場所Ｐ１に設け、電波受信部１０が、対応する風向風速計によって測定された風向及び風速を電波情報とともに制御部４０へ送信する構成であってもよい。同様に、第二場所Ｐ２の風向及び風速を測定する風向風速計を第二場所Ｐ２に設け、かかる風向風速計が、測定された風向及び風速を制御部４０へ送信する構成であってもよい。
【００５２】
また、雨量予測部４４が、風向等に基づいて電波受信部１０を選択し、電波情報取得部４２が、選択された電波受信部１０との通信を行うことによって電波情報を収集する構成であってもよい。
【００５３】
また、電波情報は、電波受信部１０によって受信される電波の受信強度又は変動電圧に限定されず、周波数変化量等、電波に関する物理量が電波情報として利用可能である。
【符号の説明】
【００５４】
１      雨量予測システム
１０    電波受信部
４０    制御部（雨量予測装置）
４２    電波情報取得部
４３    天気情報取得部
４４    雨量予測部
【図１】
2018205214.tif 000006
【図２】
2018205214.tif 000007
【図３】
2018205214.tif 000008
【図４】
2018205214.tif 000009
【図５】
2018205214.tif 000010
【図６】
2018205214.tif 000011
【図７】
2018205214.tif 000012